(57)【要約】  ユーザに不安感や不快感を与えること無く、ヘッドホン１における調整操作の操作性を高める。左右一対の耳当部２（２Ａ，２Ｂ）を備えたヘッドホン１であって、耳当部２Ａ，２Ｂのそれぞれは、音波を発生する１つ以上のスピーカ２０とスピーカ２０を収納するハウジング１０を備え、耳当部２Ａ，２Ｂの一方又は両方は、スピーカ２０の音響特性を調整する音響特性調整部３０と音響特性調整部３０を調整操作する調整操作部４０を備え、調整操作部４０は、ハウジング１０における耳対向側と逆側に設けられてハウジング１０の一面を被うキャップ７を被操作部材として備える。
2013111298.tif 000002
【特許請求の範囲】
【請求項１】
左右一対の耳当部を備えたヘッドホンであって、
前記耳当部のそれぞれは、音波を発生する１つ以上のスピーカと当該スピーカを収納するハウジングを備え、
左右一対の前記耳当部の一方又は両方は、前記スピーカの音響特性を調整する音響特性調整部と当該音響特性調整部を調整操作する調整操作部を備え、
前記調整操作部は、前記ハウジングにおける耳対向側と逆側に設けられて前記ハウジングの一面を被うキャップを被操作部材として備えることを特徴とするヘッドホン。
【請求項２】
左右一対の前記耳当部の一方が前記音響特性調整部と前記調整操作部を備え、
前記調整操作部は左右両方の前記音響特性調整部を調整操作することを特徴とする請求項１に記載されたヘッドホン。
【請求項３】
左右一対の前記耳当部がそれぞれ前記音響特性調整部と前記調整操作部を備え、
左右一方の前記耳当部が備える前記調整操作部は当該耳当部が備える前記音響特性調整部を調整操作することを特徴とする請求項１に記載されたヘッドホン。
【請求項４】
前記キャップは、前記ハウジングに対して回動自在に設けられ、前記キャップを回動操作することで前記調整操作部の調整操作が行われることを特徴とする請求項１記載のヘッドホン。
【請求項５】
前記キャップは操作突起を備えることを特徴とする請求項４記載のヘッドホン。
【請求項６】
前記操作突起は、前記ヘッドホンをユーザに被着させた状態でユーザの後頭部側に設けられることを特徴とする請求項５記載のヘッドホン。
【請求項７】
前記音響特性は音圧であり、
前記操作突起を上側に操作することで音圧が大きくなるように、前記調整操作部の調整操作が行われることを特徴とする請求項５又は６記載のヘッドホン。
【請求項８】
前記音響特性は音圧周波数特性であり、
前記操作突起を上側に操作することで特定帯域の音圧が大きくなるように、前記調整操作部の調整操作が行われることを特徴とする請求項５又は６記載のヘッドホン。
【請求項９】
前記ハウジングは、互いに異なる音響特性を有する２つのスピーカを備えることを特徴とする請求項１記載のヘッドホン。
【請求項１０】
前記２つのスピーカのうち、より高音で高い音圧特性を有するスピーカが前記ハウジング内の耳側に配置されることを特徴とする請求項９記載のヘッドホン。
【請求項１１】
前記音響特性調整部は可変抵抗器を備え、
前記キャップの操作によって前記可変抵抗器の抵抗値が変化することを特徴とする請求項１記載のヘッドホン。
【請求項１２】
前記ハウジングは，互いに異なる音圧周波数特性を有する２つのスピーカを備え、
前記調整操作部は前記２つのスピーカの一方の音圧を調整することを特徴とする請求項１記載のヘッドホン。
【請求項１３】
左右一対の前記耳当部における前記ハウジングは、それぞれ互いに異なる音圧周波数特性を有する２つのスピーカを備え、
左右一対の前記耳当部の一方に設けられる前記調整操作部が、左右一対の前記耳当部の両方において前記２つのスピーカの一方の音圧を調整することを特徴とする請求項１記載のヘッドホン。
【請求項１４】
前記キャップは、前記ハウジングに回動自在に取り付けられたキャップベースに固定されており、
前記キャップベースは略円環形状の凸部又は凹部を備え、
前記ハウジングは、前記キャップベースの凸部又は凹部が摺動自在に挿入される略円環形状の凹部又は凸部を備えることを特徴とする請求項１記載のヘッドホン。
【請求項１５】
前記凹部と当該凹部に挿入される前記凸部の間には潤滑材が介在することを特徴とする請求項１４記載のヘッドホン。
【請求項１６】
前記キャップは、前記ハウジングに対して押圧自在に設けられ、前記キャップを押圧操作することで前記調整操作部の調整操作が行われることを特徴とする請求項１記載のヘッドホン。
【請求項１７】
左右一対の前記耳当部の一方に入力された電気信号は、
前記調整操作部が前記音響特性調整部を調整操作することによって音響特性が調整され、該音響特性が調整された電気信号が左右一対の前記耳当部の他方に入力されることを特徴とする請求項２に記載のヘッドホン。
【発明の詳細な説明】
【技術分野】
【０００１】
本発明は、ヘッドホンに関するものである。
【背景技術】
【０００２】
ヘッドホンは、左右一対の耳当部を備えており、それぞれの耳当部がスピーカを備えたハウジングを具備している。ここで言うヘッドホンは、マイク装置が付属している所謂ヘッドセットを含んでいる。【０００３】
下記特許文献１には、ヘッドホン内部に増幅器を収装し、付属マイクの出力を増幅器に加えると共に、接続親機からの信号を増幅器に加えて、それらを増幅後に電気信号音声変換器（スピーカ）に加えるようにしたミキシング機能を備えたヘッドホンが記載されている。この従来のヘッドホンは、一対のスピーカが第一耳当部と第二耳当部にそれぞれ配備されており、第一耳当部の背面側には、電源スイッチ付きボリュームの摘みが配備されている。
【先行技術文献】
【特許文献】
【０００４】
【特許文献１】実用新案登録第２５０９２１２号公報
【発明の概要】
【発明が解決しようとする課題】
【０００５】
前述した従来のヘッドホンは、ヘッドホン自身がボリューム調整用の摘みを備えているので、ヘッドホンを被着したユーザは、音声信号の発信源である接続親機のボリューム調整を操作すること無く、自らが身につけているヘッドホンが備える摘みを操作して、簡易にヘッドホンのボリューム調整を行うことができる。【０００６】
しかしながら、ヘッドホンはユーザの視界から外れた頭部に被着されることから、ヘッドホンに設けられる調整摘みを視覚的に確認しながら操作することができない。これによってユーザは、先ず、調整摘みの位置を手探りで探しだし、次に、調整摘みを何れかの方向に回して、ヘッドホンからの出力がどのように変わったかを聴覚で確認しながら、所望の調整が得られるように調整操作を行うことが多い。【０００７】
このような従来技術は、ヘッドホンに調整摘みを設けることで操作性を高めることを目的にしているが、実際上は、ユーザは、視覚的に確認できない調整摘みを操作することになるので、調整摘みの位置を探す不安感や、摘みを回してみて所望の調整とは逆の調整が行われたときの不快感を覚えることになる問題があった。【０００８】
一方、ヘッドホンのハウジングから引き出される信号入力ケーブルにスピーカの出力調整を行う操作部を設けたものが知られている。これによると、ユーザは操作部を視覚的に確認しながら操作を行うことが可能であるが、操作中に誤って信号入力ケーブルを引っ張ってしまうことがあり、ケーブルの断線が生じ易いという問題がある。【０００９】
本発明は、このような問題に対処することを課題の一例とするものである。すなわち、ユーザに不安感や不快感を与えること無く、ヘッドホンにおける調整操作の操作性を高めることができること、信号入力ケーブルの断線を抑制すること、等が本発明の目的である。
【課題を解決するための手段】
【００１０】
このような目的を達成するために、本発明は、以下の構成を少なくとも具備するものである。
左右一対の耳当部を備えたヘッドホンであって、前記耳当部のそれぞれは、音波を発生する１つ以上のスピーカと当該スピーカを収納するハウジングを備え、左右一対の前記耳当部の一方又は両方は、前記スピーカの音響特性を調整する音響特性調整部と当該音響特性調整部を調整操作する調整操作部を備え、前記調整操作部は、前記ハウジングにおける耳対向側と逆側に設けられて前記ハウジングの一面を被うキャップを被操作部材として備えることを特徴とするヘッドホン。
【図面の簡単な説明】
【００１１】
【図１】本発明の一実施形態に係るヘッドホンの全体構成例を示した説明図である。
【図２】本発明の一実施形態に係るヘッドホンにおける耳当部の内部構造の一例を示した説明図である。
【図３】本発明の一実施形態に係るヘッドホンにおける耳当部の断面構造を示した説明図である。
【図４】本発明の実施形態に係るヘッドホンの操作例を示した説明図である。
【図５】本発明の実施形態に係るヘッドホンにおける音響特性調整部の形態例を示した説明図である。
【図６】本発明の一実施形態に係るヘッドホンの他の形態例を示した説明図である。
【図７】本発明の一実施形態に係るヘッドホンの他の形態例を示した説明図である。
【発明を実施するための最良の形態】
【００１２】
以下、図面を参照しながら本発明の実施形態を説明する。図１は本発明の一実施形態に係るヘッドホンの全体構成例を示した説明図である。ヘッドホン１は、左右一対の耳当部２（２Ａ，２Ｂ）を備えている。左右の耳当部２Ａ，２Ｂは、一般にヘッドバンド部３によって連結されている。ヘッドバンド部３は、必ずしも必須の構成要素では無いが、耳当部２（２Ａ，２Ｂ）をユーザの耳に押し当てる側圧を付与する機能と耳当部２（２Ａ，２Ｂ）をユーザの頭部に支持する機能を有する。図示の例では、ヘッドバンド部３はヘッドバンド３Ａ，保持バンド３Ｂ，スタビライザ（側圧付与部材）３Ｃを備えている。【００１３】
左右の耳当部２（２Ａ，２Ｂ）は、ハウジング１０（１０Ａ，１０Ｂ）を備えている。左右のハウジング１０Ａ，１０Ｂは連結アーム４（４Ａ，４Ｂ）を介してヘッドバンド部３の端部３Ｄに連結されている。ハウジング１０の一方（図示では右側のハウジング１０Ｂ）からは信号入力ケーブル５が引き出されている。ヘッドバンド３Ａは、信号入力ケーブル５の信号線を他方側のハウジング１０Ａ内に引き込むためのケーブルを備えている。一般に、ハウジング１０（１０Ａ，１０Ｂ）には、ハウジング１０とユーザの耳との間に密閉空間を形成するためのイアパッド６が装着されている。【００１４】
また、ハウジング１０（１０Ａ，１０Ｂ）には、ハウジング１０における耳対向側とは逆側にハウジング１０の一面を被うようにキャップ７が設けられている。キャップ７は、左右のハウジング１０Ａ，１０Ｂの一方に設けてもよいし、両方に設けてもよい、図示の例では、キャップ７に操作突起（操作ノブ）７Ａが設けられている。この例では、操作突起７Ａは、ヘッドホン１をユーザに被着させた状態でユーザの後頭部側に設けている。【００１５】
図２は、前述した耳当部２の内部構造の一例を示している。ここでは、固定用のネジの一部と配線部材を省略して示している。耳当部２におけるハウジング１０には、音波を発生する１つ以上のスピーカ２０が収納されている。図示の例では、２つのスピーカ２０Ａ，２０Ｂがハウジング１０に収納されている。ハウジング１０は、例えば、第１ハウジング部材１１と第２ハウジング部材１２と第３ハウジング部材１３を備えており、第１ハウジング部材１１と第２ハウジング部材１２との間にスピーカ２０Ａが収納され、第２ハウジング部材１２と第３ハウジング部材１３の間にスピーカ２０Ｂが収納されている。２つのスピーカ２０Ａ，２０Ｂは、例えば、一方のスピーカ２０Ａが高音用（ツイータ）で他方のスピーカ２０Ｂが低音用（ウーファ）として機能するように、互いに異なる音響特性（例えば、音圧周波数特性）を有するものである。【００１６】
また、左右一対の耳当部２（２Ａ，２Ｂ）は、スピーカ２０の音響特性を調整する音響特性調整部３０とこの音響特性調整部３０を調整操作する調整操作部４０を備えている。音響特性調整部３０は、スピーカ２０が発生する音波の出力調整を行うものであり、図示の例では、可変抵抗器３１、この可変抵抗器３１とスピーカ２０とを接続するための基板３２などを含み、調整操作部４０は、ユーザが直接触れて操作する被操作部材とその被操作部材と音響特性調整部３０を連結する部材を含み、図示の例では、被操作部材となるキャップ７、キャップベース４１、キャップベース４１を接続する接続部材４２，４３などを含む。【００１７】
音響特性調整部３０と調整操作部４０は、左右の耳当部２Ａ，２Ｂの一方に設けてもよいし、両方に設けてもよい。左右一対の耳当部２Ａ，２Ｂの両方が音響特性調整部３０を備え、左右一対の耳当部２Ａ，２Ｂの一方が調整操作部４０を備え、調整操作部４０が左右両方の音響特性調整部３０を調整操作するようにしてもよい。また、左右一対の耳当部２Ａ，２Ｂがそれぞれ音響特性調整部３０と調整操作部４０を備え、左右一方の調整操作部４０が左右一方の音響特性調整部３０を調整操作するようにしてもよい。【００１８】
音響特性調整部３０が調整する音響特性とは、スピーカ２０が発生する音波の出力特性であり、例えば、スピーカ２０の音圧、音圧周波数特性などである。調整操作部４０は、左右の耳当部２Ａ，２Ｂにおけるスピーカ２０のそれぞれの音圧や音圧周波数特性の調整、或いは左右の耳当部２Ａ，２Ｂにおけるスピーカ２０の音圧や音圧周波数特性のバランス調整を行うことができるものである。【００１９】
図３は、耳当部（イヤパットを除く）の断面構造の一例を示した説明図である。調整操作部４０の被操作部材となるキャップ７は、キャップベース４１に接着剤等で固定されており、キャップベース４１は接続部材４２，４３によって第３ハウジング１３に回転自在に取り付けられている。これによって、キャップ７はハウジング１０に回転自在に設けられ、キャップ７を回転操作することで、音響特性調整部３０の調整が行われるようになっている。【００２０】
図３によって、その調整機構の具体例を説明する。キャップベース４１には、キャップベース４１の回転軸と同軸のギア部４１Ｂが設けられている。このギア部４１Ｂは、可変抵抗器３１のギア部３１Ａに螺合している。可変抵抗器３１は、第３ハウジング１３に支持された基板３２に装着されており、ギア部３１Ａを回転することで可変抵抗器３１の抵抗値が変化するようになっている。これによって、キャップ７を回転操作することで、ギア部４１Ｂとギア部３１Ａが回転して、音響特性調整部３０である可変抵抗器３１の調整が行われる。【００２１】
キャップベース４１は回転中心と同心上に略円環形状の凸部４１Ａを備えており、第３ハウジング１３は、キャップベース４１の凸部４１Ａが摺動自在に挿入される略円環形状の凹部１３Ａを備えている。ここでは、キャップベース４１側を凸部４１Ａにして、第３ハウジング１３側を凹部１３Ａにしているが、キャップベース４１側を略円環形状の凹部にして、第３ハウジング１３側を凸部にしてもよい。凹部１３Ａとこの凹部１３Ａに挿入される凸部４１Ａの間に潤滑材を介在させることで、キャップ７の円滑な回転が可能になる。【００２２】
また、第１ハウジング１１は、スピーカ２０（２０Ａ）を収納する収納部１１Ａを備えており、第１ハウジング１１と第２ハウジング１２の間にスピーカ２０（２０Ａ）が収納されている。第２ハウジング１２は、スピーカ２０（２０Ｂ）を収納する収納部１２Ａを備えており、第２ハウジング１２と第３ハウジング１３の間にスピーカ２０（２０Ｂ）が収納されている。【００２３】
図４は、本発明の実施形態に係るヘッドホンの操作例を示した説明図である。図示の例では、ヘッドホン１をユーザＵに被着させた状態では、キャップ７の操作突起７ＡはユーザＵの後頭部側に位置するようになっている。ユーザＵは、キャップ７の操作突起７Ａに手を当てて、頭頂に向かって上側（矢印Ｕｐ側）又は下側（矢印Ｄｏｗｎ）に操作することで、前述した音響特性調整部３０の調整を行う。【００２４】
そして、音響特性調整部３０が調整する音響特性が音圧の場合には、操作突起７Ａを頭頂に向かって上側に操作することで音圧が大きくなるように、操作突起７Ａを下側に操作することで音圧が小さくなるように、調整操作部４０の調整操作が行われるようにすることができる。つまり、キャップ７を左回りに回すことで音圧が大きくなり、キャップ７を右回りに回すことで音圧が小さくなる。また、音響特性調整部３０が調整する音響特性が音圧周波数特性の場合には、操作突起７Ａを頭頂に向かって上側に操作することで特定帯域の音圧が大きくなるように、操作突起７Ａを下側に操作することで特定帯域の音圧が小さくなるように、調整操作部４０の調整操作が行われるようにすることができる。【００２５】
調整操作部４０の被操作部材となるキャップ７は、図４（ａ）に示すように、ハウジング１０の一面の略全体を被っていることが好ましいが、図４（ｂ）に示すように、ハウジング１０の一面の中心部を部分的に被っているものや、図４（ｃ）に示すように、ハウジング１０の一面の中心から外れた偏心一を部分的に被っているものであってもよい。【００２６】
図５は、本発明の実施形態に係るヘッドホンにおける音響特性調整部の形態例を示した説明図である。この例では、左右の耳当部２Ａ，２Ｂ（Ｒｃｈ，Ｌｃｈ）は、それぞれ２つのスピーカ２０Ａ，２０Ｂを備えている。２つのスピーカ２０Ａ，２０Ｂは、互いに異なる音響特性を有しており、スピーカ２０Ａが高音で高い音圧特性を有する高音用スピーカ（ツイータ）として機能し、スピーカ２０Ｂが低音で高い音圧特性を有する低音用スピーカ（ウーファ）として機能する。スピーカ２０Ａとスピーカ２０Ｂは図３に示すように配置されており、より高音で高い音圧特性を有するスピーカ２０Ａがハウジング１０の耳側に配置されている。図５（ａ）に示した例では、スピーカ２０（２０Ａ，２０Ｂ）のインピーダンスがいずれも３２Ωであり、スピーカ２０Ａの振動板が３０ｍｍ口径、スピーカ２０Ｂの口径が４０ｍｍである。【００２７】
図５（ａ）に示す形態例では、左右の耳当部２Ａ，２Ｂにおいて、低音用のスピーカ２０Ｂの入力回路に音響特性調整部３０である可変抵抗器３１を挿入し、低音用のスピーカ２０Ｂのみのインピーダンスを可変にしている。また、ここでは、一つの音響特性調整部３０で左右両側のスピーカ２０の音響特性を調整できるようになっている。これによると、単純な音圧レベル調整とは異なり、高音用のスピーカ２０Ａと低音用のスピーカ２０Ｂを一つの耳当部２に備えるヘッドホン１において、音響特性上の一部周波数範囲のみを変化させることができるので、ユーザの好みの音圧周波数特性を調整範囲内において無段階に選択することが可能になる。【００２８】
この例における音響特性調整部３０は、図５（ｂ）に示すように、キャップ７を任意の角度回転させることで、スピーカ２０Ａとスピーカ２０Ｂの合成インピーダンスを無段階に増大又は低下させることができる。回転角（°）を小さくして合成インピーダンスを小さくすると、０．１〜１ｋＨ付近の低音域の音圧を高めることができ、回転角（°）を大きくすると、０．〜１ｋＨ付近の低音域の音圧を低くすることができる。【００２９】
この例に限らず、左右の耳当部２Ａ，２Ｂにおいて、高音用のスピーカ２０Ａの入力回路に音響特性調整部３０である可変抵抗器３１を挿入し、高音用のスピーカ２０Ａのみのインピーダンスを可変にして、調整操作部４０であるキャップ７を回転させることで、高音域の音圧特性を調整可能にしたものであってもよい。【００３０】
これによると、例えば試聴する曲のジャンルによってユーザの好みで音圧周波数特性を無段階に変化させたり、テレビやラジオ放送などの人の声を重視する場合などに、低音を強調する音圧周波数特性に切り替えたりする調整が可能になる。【００３１】
なお、前述した実施形態では、キャップ７を回動操作する例を示しているが、これに限らず、キャップ７をハウジング１０に対して押圧自在に設け、キャップ７を押圧操作することで、調整操作部４０の調整操作を行うようにすることもできる。例えば、キャップ７を押圧操作することで、ミュート機能のオン／オフを行うように、音響特性調整部３０を構成することができる。【００３２】
図６及び図７は、本発明の一実施形態に係るヘッドホンの他の形態例を示した説明図である（図６が外観構成を示しており、図７が音響特性調整部の構成を示している）。ここに示した形態例は、左右の耳当部２Ａ，２Ｂがそれぞれ音響特性調整部３０と調整操作部４０を備えている。調整操作部４０の被操作部材であるキャップ７は、左右の耳当部２Ａ，２Ｂにおけるハウジング１０の一面にそれぞれ設けられている。【００３３】
図７に示す例では、左右の耳当部２Ａ，２Ｂにおいて、低音用のスピーカ２０Ｂの入力回路に音響特性調整部３０である可変抵抗器３１をそれぞれ個別に挿入し、左右独立して低音用のスピーカ２０Ｂのインピーダンスを調整可能にしている。【００３４】
これによると、左右一方の耳当部２Ａ（２Ｂ）が備える調整操作部４０（キャップ７）は、その耳当部２Ａ（２Ｂ）が備える音響特性調整部３０を調整操作することができ、例えば、左右独立して音響特性を調整することが可能になる。音響特性としては、図７に示す例のように音圧周波数特性を調整することができる。この場合には、調整操作部４０（キャップ７）を左右独自に調整することで、左右のスピーカ２０Ａ，２０Ｂの音圧周波数特性を独立して調整することが可能になる。また、音響特性としてボリューム調整を行う場合には、左右独立のボリューム調整が可能になる。【００３５】
以上説明した本発明の実施形態に係るヘッドホンによると、左右の耳当部２Ａ，２Ｂが音響特性調整部３０と調整操作部４０を備えるヘッドホン１において、調整操作部４０がハウジング１０における耳対向側と逆側に設けられてハウジング１０の一面を被うキャップ７を被操作部材にしているので、ユーザは視覚的に認識しなくても即座に位置を認識できるキャップ７に触れて、調整操作部４０の調整操作を行うことが可能になる。これにより、ユーザに不安感や不快感を与えること無く、ヘッドホンにおける調整操作の操作性を高めることができる。【００３６】
また、音響特性調整部３０の調整をヘッドホン１の耳当部２に設けたキャップ７によって行うので、ユーザは信号入力ケーブル５に触れること無く、調整操作を行うことができる。これによって信号入力ケーブル５の断線を未然に抑止することが可能になる。【００３７】
ヘッドホン１の被調整部材であるキャップ７には操作突起７Ａが設けられており、この操作突起７Ａを頭頂に向かって上側に操作すると音圧が大きくなり、操作突起７Ａを下側に操作すると音圧が小さくなるように調整可能にしているので、ユーザが行う操作によってユーザが予測する音響特性の変化と操作によって実際に得られる音響特性の変化を合致させることができ、ユーザは誤操作なく快適に音響特性の調整を行うことが可能になる。【００３８】
また、調整する音響特性が音圧周波数特性の場合には、操作突起７Ａを頭頂に向かって上側に操作した場合に音圧周波数特性を高音重視にシフトさせ、操作突起７Ａを下側に操作した場合に音圧周波数特性を低音重視にシフトさせることで、ユーザの操作感覚に合致した音圧周波数特性の調整操作が可能になる。
【図１】
2013111298.tif 000003
【図２】
2013111298.tif 000004
【図３】
2013111298.tif 000005
【図４】
2013111298.tif 000006
【図５】
2013111298.tif 000007
【図６】
2013111298.tif 000008
【図７】
2013111298.tif 000009
【手続補正書】
【提出日】平成26年9月16日(2014.9.16)
【手続補正１】
【補正対象書類名】特許請求の範囲
【補正対象項目名】全文
【補正方法】変更
【補正の内容】
【特許請求の範囲】
【請求項１】
一対の耳当部と、
前記耳当部のそれぞれに備えられた音波を発生する１つ以上のスピーカと、
当該スピーカを収納するハウジングと、
前記ハウジングの耳と対抗する側とは逆側を覆うとともに、その径が前記スピーカの径よりも大きな円盤形状のキャップと、
を備え、
前記耳当部の一方又は両方は、
前記スピーカの音響特性を調整する音響特性調整部と、
当該音響特性調整部を調整操作する調整操作部と、
を備え、
前記調整操作部は、前記ハウジングに対して回動自在に設けられた前記キャップであることを特徴とするヘッドホン。
【請求項２】
前記キャップは、前記ハウジングの一面の略全体を被っていることを特徴とする請求項１に記載されたヘッドホン。
【請求項３】
前記キャップの外形は、このヘッドホンの音放射方向とは垂直な略平面であることを特徴とする請求項１または請求項２のいずれかに記載されたヘッドホン。
【請求項４】
前記耳当部の一方が前記音響特性調整部と前記調整操作部を備え、
前記調整操作部は左右両方の前記音響特性調整部を調整操作することを特徴とする請求項１から請求項３のいずれかに記載されたヘッドホン。
【請求項５】
前記耳当部がそれぞれ前記音響特性調整部と前記調整操作部を備え、
一方の前記耳当部が備える前記調整操作部は当該耳当部が備える前記音響特性調整部を調整操作することを特徴とする請求項１から請求項３いずれかに記載されたヘッドホン。
【請求項６】
前記キャップを回動操作することで前記調整操作部の調整操作が行われることを特徴とする請求項１から請求項５いずれかに記載のヘッドホン。
【請求項７】
前記キャップは操作突起を備えることを特徴とする請求項１から請求項６いずれかに記載のヘッドホン。
【請求項８】
前記操作突起は、前記ヘッドホンをユーザに被着させた状態でユーザの後頭部側に設けられることを特徴とする請求項７記載のヘッドホン。
【請求項９】
前記音響特性は音圧であり、
前記操作突起を上側に操作することで音圧が大きくなるように、前記調整操作部の調整操作が行われることを特徴とする請求項７または請求項８いずれかに記載のヘッドホン。
【請求項１０】
前記音響特性は音圧周波数特性であり、
前記操作突起を上側に操作することで特定帯域の音圧が大きくなるように、前記調整操作部の調整操作が行われることを特徴とする請求項７または請求項８いずれかに記載のヘッドホン。
【請求項１１】
前記ハウジングは、互いに異なる音響特性を有する２つのスピーカを備えることを特徴とする請求項１から請求項１０のいずれかに記載のヘッドホン。
【請求項１２】
前記２つのスピーカのうち、より高音で高い音圧特性を有するスピーカが前記ハウジング内の耳側に配置されることを特徴とする請求項１１記載のヘッドホン。
【請求項１３】
前記音響特性調整部は可変抵抗器を備え、
前記キャップの操作によって前記可変抵抗器の抵抗値が変化することを特徴とする請求項１から請求項１２のいずれかに記載のヘッドホン。
【請求項１４】
前記ハウジングは、互いに異なる音圧周波数特性を有する２つのスピーカを備え、
前記調整操作部は前記２つのスピーカの一方の音圧を調整することを特徴とする請求項１１から請求項１４のいずれかに記載のヘッドホン。
【請求項１５】
前記耳当部における前記ハウジングは、それぞれ互いに異なる音圧周波数特性を有する２つのスピーカを備え、
前記耳当部の一方に設けられる前記調整操作部が、左右一対の前記耳当部の両方において前記２つのスピーカの一方の音圧を調整することを特徴とする請求項１から請求項１４のいずれかに記載のヘッドホン。
【請求項１６】
前記キャップは、前記ハウジングに回動自在に取り付けられたキャップベースに固定されており、
前記キャップベースは略円環形状の凸部又は凹部を備え、
前記ハウジングは、前記キャップベースの凸部又は凹部が摺動自在に挿入される略円環形状の凹部又は凸部を備えることを特徴とする請求項１から請求項１５のいずれかに記載のヘッドホン。
【請求項１７】
前記凹部と当該凹部に挿入される前記凸部の間には潤滑材が介在することを特徴とする請求項１６記載のヘッドホン。
【請求項１８】
前記耳当部の一方に入力された電気信号は、
前記調整操作部が前記音響特性調整部を調整操作することによって音響特性が調整され、該音響特性が調整された電気信号が左右一対の前記耳当部の他方に入力されることを特徴とする請求項４から請求項１７のいずれかに記載のヘッドホン。
【手続補正２】
【補正対象書類名】明細書
【補正対象項目名】００１０
【補正方法】変更
【補正の内容】
【００１０】
このような目的を達成するために、本発明は、以下の構成を少なくとも具備するものである。
一対の耳当部と、前記耳当部のそれぞれに備えられた音波を発生する１つ以上のスピーカと、当該スピーカを収納するハウジングと、前記ハウジングの耳と対抗する側とは逆側を覆うとともに、その径が前記スピーカの径よりも大きな円盤形状のキャップと、を備え、前記耳当部の一方又は両方は、前記スピーカの音響特性を調整する音響特性調整部と、当該音響特性調整部を調整操作する調整操作部と、を備え、前記調整操作部は、前記ハウジングに対して回動自在に設けられた前記キャップであることを特徴とするヘッドホン。
【国際調査報告】
2013111298.tif 000010
2013111298.tif 000011
2013111298.tif 000012
2013111298.tif 000013